(57)【要約】【課題】ユーザによる入力切替操作時に、ＨＤＭＩ接続するリピータ機器がＣＥＣ非対応機器の場合であっても、ＯＳＤメニュー上のＯＳＤ機器名を正しく表示する表示装置を提供する。【解決手段】シンク機器４０は、第１ソース機器１０，第２ソース機器２０の論理アドレス，物理アドレス，ＯＳＤ機器名，ＨＤＭＩストリーム中に含まれる機器固有データとを関連付けて格納するメモリ４６と、画面上にＯＳＤメニューをオンスクリーン表示するＯＳＤ制御部４７と、機器固有データが他の機器固有データに変化した後に所定のＣＥＣメッセージが一定時間受信されない場合、他の機器固有データがメモリ４６に格納されているか否かを判定するＣＰＵ４４とを備える。他の機器固有データがメモリ４６に格納されている場合、ＯＳＤ制御部４７は、ＯＳＤメニューに表示される外部機器の機器名を、他の機器固有データの論理アドレスに対応する外部機器の機器名に変更する。【選択図】図１
2010041202.tif 000002
【特許請求の範囲】
【請求項１】
外部機器を接続するＨＤＭＩ端子を備え、該ＨＤＭＩ端子を介して複数の外部機器を階層的に接続する表示装置であって、
前記複数の外部機器の種別を示す論理アドレスと、前記複数の外部機器の接続位置を示す物理アドレスと、前記論理アドレスに対応する外部機器の機器名と、前記複数の外部機器からＨＤＭＩストリームと共に入力される機器固有データとを関連付けて格納するマッピング手段と、
前記表示装置の画面上にＯＳＤメニューをオンスクリーン表示するＯＳＤ制御手段と、
前記表示装置に入力される機器固有データが他の機器固有データに変化した後に所定のＣＥＣメッセージが一定時間受信されない場合、前記他の機器固有データが前記マッピング手段に格納されているか否かを判定する判定手段とを備え、
前記判定手段により前記他の機器固有データが前記マッピング手段に格納されていると判定された場合、前記ＯＳＤ制御手段は、前記ＯＳＤメニューに表示される外部機器の機器名を、前記他の機器固有データに関連付けられた論理アドレスに対応する外部機器の機器名に変更することを特徴とする表示装置。
【請求項２】
請求項１に記載の表示装置において、前記判定手段により前記他の機器固有データが前記マッピング手段に格納されていないと判定された場合、前記ＯＳＤ制御手段は、前記ＯＳＤメニューに表示される外部機器の機器名を消去することを特徴とする表示装置。
【請求項３】
請求項１に記載の表示装置において、前記判定手段により前記他の機器固有データが前記マッピング手段に格納されていないと判定された場合、前記ＯＳＤ制御手段は、前記判定手段による判定結果に応じた警告表示を行うことを特徴とする表示装置。
【請求項４】
請求項１〜３のいずれか１項に記載の表示装置において、前記所定のＣＥＣメッセージは、ＨＤＭＩ規格で定義されたルーティングチェンジ又はレポートフィジカルアドレスであることを特徴とする表示装置。
【請求項５】
請求項４に記載の表示装置において、該表示装置に入力される機器固有データが他の機器固有データに変化した後に前記ルーティングチェンジを一定時間内に受信し、該ルーティングチェンジにより入力経路として指定された外部機器からルーティングインフォメーションを受信した場合、前記ＯＳＤ制御手段は、前記ＯＳＤメニューに表示される外部機器の機器名を、前記ルーティングインフォメーションで指定された外部機器の機器名に変更することを特徴とする表示装置。
【請求項６】
請求項４に記載の表示装置において、該表示装置に入力される機器固有データが他の機器固有データに変化した後に前記レポートフィジカルアドレスを一定時間内に受信した場合、該レポートフィジカルアドレスで通知される論理アドレスと物理アドレスに対応する外部機器に対して該外部機器の機器名を取得するためのＣＥＣメッセージを送信し、前記ＯＳＤ制御手段は、前記ＯＳＤメニューに表示される外部機器の機器名を、前記ＣＥＣメッセージにより取得された外部機器の機器名に変更することを特徴とする表示装置。
【請求項７】
請求項１〜６のいずれか１項に記載の表示装置において、前記複数の外部機器のいずれかの外部機器から該外部機器がアクティブ状態であることを示すＣＥＣメッセージを受信したときに、前記外部機器からＨＤＭＩストリームと共に入力される機器固有データを取得し、該取得した機器固有データを、前記マッピング手段の対応する物理アドレスにマッピングすることを特徴とする表示装置。
【請求項８】
請求項１〜７のいずれか１項に記載の表示装置において、前記機器固有データは、ＨＤＭＩ規格で定義されたＳＰＤＩｎｆｏＦｒａｍｅデータであり、外部機器に固有の機器名を含むことを特徴とする表示装置。
【請求項９】
請求項１〜８のいずれか1項に記載の表示装置と、該表示装置のＨＤＭＩ端子に直接にまたは他の外部機器のＨＤＭＩ端子を介して間接に接続される複数の外部機器とを備えたことを特徴とする表示システム。
【発明の詳細な説明】
【技術分野】
【０００１】
本発明は、表示装置及びシステムに関し、より詳細には、ＨＤＭＩ（High Definition Multimedia Interface）接続した外部機器の機器名をＯＳＤメニューに表示可能な表示装置及び該装置を備えた表示システムに関する。
【背景技術】
【０００２】
映像／音声等の伝送用デジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。ＨＤＭＩでは、ＨＤＭＩ入力端子をもつ液晶テレビやモニタなどの表示装置をシンク機器、ＨＤＭＩ出力端子をもつレコーダやプレーヤなどをソース機器、ＨＤＭＩ入力端子とＨＤＭＩ出力端子とをもつＡＶアンプなどをリピータ機器として、シンク機器に複数のリピータ機器やソース機器を階層的に接続し、入力先を切り替えて使用することができる。
【０００３】
非特許文献１には、ＨＤＭＩにおけるＣＥＣ（Consumer Electronics Control）規格に係る仕様が定義されている。この中でシンク機器あるいはリピータ機器が入力切替を行った場合、<Routing Change>というＣＥＣメッセージ（以下、＜＞内は全てＣＥＣメッセージであることを示す）をブロードキャストにて送信し、この<Routing Change>で入力経路として指定された機器は<Routing Information>をブロードキャストにて送信するように規定されている。さらにシンク機器は、入力切替先機器からの<Routing Information>を受けて、入力経路を確定するために、<Set Stream Path>をブロードキャストにて送信する。この<Set Stream Path>を受けた入力切替先機器は、自身が安定した映像出力可能な状態（すなわち、アクティブな状態）であれば、<Active Source>をブロードキャストにて送信することにより、入力経路が確定する。この<Active Source>を返した機器が現在のアクティブ機器となる。
【０００４】
図１０は、従来のシンク機器において入力切替ＯＳＤを表示させたときの様子を示す図である。ここではシンク機器として液晶テレビ（ＬＣＤ ＴＶ）を想定する。このＬＣＤ ＴＶにリピータ機器のＡＶアンプが接続され、さらに、このＡＶアンプにソース機器のレコーダ（機器名：ＲＥＣＯＲＤＥＲ）とプレーヤ（機器名：ＰＬＡＹＥＲ）が接続されているものとする。このとき、例えばユーザが、ＬＣＤ ＴＶの内蔵チューナで受信したアナログテレビジョン放送（ＡＴＶ）を視聴しているときに、ＬＣＤ ＴＶの操作ボタンやリモコンの［入力切替キー］を押すことにより、ＬＣＤ ＴＶの表示画面には図１０に示すような入力切替ＯＳＤ（ＯＳＤメニュー）が表示される。これはＬＣＤ ＴＶが備えるＯＳＤ制御部が、図示しない登録情報を参照してＯＳＤ画面を生成し、現在視聴しているテレビジョン放送信号に重畳させて表示させるものである。
【０００５】
この例では、ＬＣＤ ＴＶにおいて切替可能な入力として、ＡＴＶ、ＤＴＶ、及びＥＸＴ１〜６があるものとする。またここでは、ＥＸＴ５及びＥＸＴ６にＨＤＭＩ入力端子が割り当てられている。この場合、表示される入力切替ＯＳＤでは、現在視聴しているテレビジョン放送信号（ＡＴＶ）がハイライト表示される。また登録情報に従って、ＥＸＴ５の部分には、論理アドレス“１”に対して記録されているレコーダを示す“ＲＥＣＯＲＤＥＲ”が、ＥＸＴ５のＯＳＤ表示部分に表示される。
【０００６】
図１０の例の場合、入力切替ＯＳＤのＥＸＴ５及びＥＸＴ６には現在のアクティブ機器の論理アドレスが指示するＯＳＤ機器名が表示される。ここで、レコーダが現在のアクティブ機器であり、ユーザによる操作に応じてＡＶアンプの入力がレコーダからプレーヤに切り替えられると、前述の非特許文献１で規定された処理により、プレーヤが<Active Source>を返した場合にアクティブ機器となる。これに伴い、入力切替ＯＳＤのＥＸＴ５のＯＳＤ機器名が“ＲＥＣＯＲＤＥＲ”から、プレーヤの論理アドレス“４”に対応する“ＰＬＡＹＥＲ”に更新される。
【非特許文献１】High-Definition Multimedia Interface Specification Version 1.2a   Supplement 1 Consumer Electronics Control(CEC),December 14 2005
【発明の開示】
【発明が解決しようとする課題】
【０００７】
しかしながら、入力切替先となる機器が、シンク機器からの<Set Stream Path>に対して、<Active Source>を返してこない場合がある。例えば、スタンバイ状態にあると、アクティブ機器にならないため、<Active Source>を返さない機器がある。この場合、たとえレコーダからプレーヤに入力先が切り替えられたとしても、図１０に示す入力切替ＯＳＤの表示は“ＰＬＡＹＥＲ”に更新されず、“ＲＥＣＯＲＤＥＲ”のままとなる。
【０００８】
この場合、実際に入力切替先となる機器（プレーヤ）と、入力切替ＯＳＤ上のＯＳＤ機器名“ＲＥＣＯＲＤＥＲ”とが一致していないため、ユーザが入力切替ＯＳＤから操作を行うときに、実際の接続状態と異なる間違ったＯＳＤ機器名が表示され、ユーザを困惑させてしまうという問題があった。
【０００９】
ここで、テレビにＨＤＭＩ接続された外部機器の機器名を取得して表示するための方法として、ＨＤＭＩストリーム中のSPD(Source Product Description) Info frameデータより取得することが一般的に行われている。この方法によれば、ＣＥＣ対応機器か否かによらずに外部機器名を取得できる一方で、外部機器の機器名のデータが暫定版の場合には正確な機器名を取得して表示することができず、また、外部機器の主電源がオフの状態ではＨＤＭＩストリームが送信されないため外部機器の機器名取得ができないという不都合があった。
【００１０】
これに対して、例えば、ユーザのＡＶアンプ（リピータ機器）の入力切替操作に伴い、ＡＶアンプから送信されるＣＥＣメッセージ<Routing Information>をテレビが受信した場合に、テレビのＯＳＤメニュー上に表示される外部機器の機器名を、このＣＥＣメッセージ<Routing Information>で指定された外部機器の機器名に変更する方法が考えられる。これによれば、<Active Source>を返さない機器であっても、適正なＯＳＤ機器名を表示させることができる。
【００１１】
しかしながら、上記方法の場合、リピータ機器がＣＥＣ非対応機器である場合、ユーザ操作に応じた経路変化を示すＣＥＣメッセージ〈Routing Change〉をブロードキャストにて送信しないため、それ以降の処理、すなわちＣＥＣメッセージ<Routing Information>を送信する処理も行われないことになり、ＯＳＤメニュー上の機器名表示が変更されないという問題がある。
【００１２】
本発明は、上述のごとき実情に鑑みてなされたものであり、ユーザによる入力切替操作時に、ＨＤＭＩ接続するリピータ機器がＣＥＣ非対応機器の場合であっても、ＯＳＤメニュー上のＯＳＤ機器名を正しく表示する表示装置及び該装置を備えた表示システムを提供すること、を目的とする。
【課題を解決するための手段】
【００１３】
上記課題を解決するために、本発明の第１の技術手段は、外部機器を接続するＨＤＭＩ端子を備え、該ＨＤＭＩ端子を介して複数の外部機器を階層的に接続する表示装置であって、前記複数の外部機器の種別を示す論理アドレスと、前記複数の外部機器の接続位置を示す物理アドレスと、前記論理アドレスに対応する外部機器の機器名と、前記複数の外部機器からＨＤＭＩストリームと共に入力される機器固有データとを関連付けて格納するマッピング手段と、前記表示装置の画面上にＯＳＤメニューをオンスクリーン表示するＯＳＤ制御手段と、前記表示装置に入力される機器固有データが他の機器固有データに変化した後に所定のＣＥＣメッセージが一定時間受信されない場合、前記他の機器固有データが前記マッピング手段に格納されているか否かを判定する判定手段とを備え、前記判定手段により前記他の機器固有データが前記マッピング手段に格納されていると判定された場合、前記ＯＳＤ制御手段は、前記ＯＳＤメニューに表示される外部機器の機器名を、前記他の機器固有データに関連付けられた論理アドレスに対応する外部機器の機器名に変更することを特徴としたものである。
【００１４】
第２の技術手段は、第１の技術手段において、前記判定手段により前記他の機器固有データが前記マッピング手段に格納されていないと判定された場合、前記ＯＳＤ制御手段は、前記ＯＳＤメニューに表示される外部機器の機器名を消去することを特徴としたものである。
【００１５】
第３の技術手段は、第１の技術手段において、前記判定手段により前記他の機器固有データが前記マッピング手段に格納されていないと判定された場合、前記ＯＳＤ制御手段は、前記判定手段による判定結果に応じた警告表示を行うことを特徴としたものである。
【００１６】
第４の技術手段は、第１〜第３のいずれか１の技術手段において、前記所定のＣＥＣメッセージは、ＨＤＭＩ規格で定義されたルーティングチェンジ又はレポートフィジカルアドレスであることを特徴としたものである。
【００１７】
第５の技術手段は、第４の技術手段において、前記表示装置に入力される機器固有データが他の機器固有データに変化した後に前記ルーティングチェンジを一定時間内に受信し、該ルーティングチェンジにより入力経路として指定された外部機器からルーティングインフォメーションを受信した場合、前記ＯＳＤ制御手段は、前記ＯＳＤメニューに表示される外部機器の機器名を、前記ルーティングインフォメーションで指定された外部機器の機器名に変更することを特徴としたものである。
【００１８】
第６の技術手段は、第４の技術手段において、前記表示装置に入力される機器固有データが他の機器固有データに変化した後に前記レポートフィジカルアドレスを一定時間内に受信した場合、該レポートフィジカルアドレスで通知される論理アドレスと物理アドレスに対応する外部機器に対して該外部機器の機器名を取得するためのＣＥＣメッセージを送信し、前記ＯＳＤ制御手段は、前記ＯＳＤメニューに表示される外部機器の機器名を、前記ＣＥＣメッセージにより取得された外部機器の機器名に変更することを特徴としたものである。
【００１９】
第７の技術手段は、第１〜第６のいずれか１の技術手段において、前記複数の外部機器のいずれかの外部機器から該外部機器がアクティブ状態であることを示すＣＥＣメッセージを受信したときに、前記外部機器からＨＤＭＩストリームと共に入力される機器固有データを取得し、該取得した機器固有データを、前記マッピング手段の対応する物理アドレスにマッピングすることを特徴としたものである。
【００２０】
第８の技術手段は、第１〜第７のいずれか１の技術手段において、前記機器固有データは、ＨＤＭＩ規格で定義されたＳＰＤＩｎｆｏＦｒａｍｅデータであり、外部機器に固有の機器名を含むことを特徴としたものである。
【００２１】
第９の技術手段は、第１〜第８のいずれか１の技術手段における表示装置と、該表示装置のＨＤＭＩ端子に直接にまたは他の外部機器のＨＤＭＩ端子を介して間接に接続される複数の外部機器とを備えたことを特徴としたものである。
【発明の効果】
【００２２】
本発明によれば、ユーザによる入力切替操作時に、ＨＤＭＩ接続するリピータ機器がＣＥＣ非対応機器の場合であっても、ＯＳＤメニュー上のＯＳＤ機器名を正しく表示することができるため、実際に入力切替先となる機器とＯＳＤメニュー上のＯＳＤ機器名とが一致し、ユーザを困惑させないようにすることができる。
【発明を実施するための最良の形態】
【００２３】
以下、添付図面を参照しながら、本発明の表示装置及び該装置を備えた表示システムに係る好適な実施の形態について説明する。
本発明の実施形態においては、ＨＤＭＩ規格に含まれるＣＥＣメッセージを使用する。このＣＥＣメッセージとはＨＤＭＩで規格化されている機器制御信号である。
【００２４】
図１は、本発明の表示システムにおけるＨＤＭＩ接続に係る要部構成例を説明するためのブロック図である。この構成例では、２つのソース機器（第１のソース機器１０，第２のソース機器２０）と、ＣＥＣ非対応のリピータ機器３０と、シンク機器４０とが階層的に接続されている。ソース機器は、ＨＤＭＩ-ＣＥＣに対応する機器であり、例えばＤＶＤレコードやＨＤＤレコーダ、デジタル方式ＶＴＲ、デジタルビデオカメラなどが適用される。
【００２５】
またリピータ機器３０は、ＨＤＭＩ入力端子とＨＤＭＩ出力端子とをもつＡＶアンプやレコーダ、プレーヤなどである。この例ではリピータ機器３０は、２つのＨＤＭＩ入力端子をもち、ＨＤＭＩ入力端子に対してそれぞれレコーダ１０とプレーヤ２０のソース機器が接続されている。またシンク機器４０は、ＨＤＭＩ入力端子をもつ液晶テレビ（ＬＣＤ ＴＶ）やモニタなどの表示装置である。
【００２６】
本発明に適用されるシンク機器４０は、リピータ機器３０を介して各ソース機器１０，２０の動作状態を検出し、ソース機器１０，２０の動作状態を制御するために、ＣＥＣライン５１を介して転送されるＣＥＣメッセージが用いられる。前述したように、ＣＥＣメッセージは、ＨＤＭＩで規格されている機器制御信号である。そして、この機器制御信号を機器間でやりとりすることにより、シンク機器４０とその接続機器との間で各種の動作制御を実現する。本例の場合、リピータ機器３０は、ＣＥＣ非対応であるため、ＣＥＣメッセージによる動作制御を行うことはできないが、シンク機器４０と各ソース機器１０，２０間でＣＥＣメッセージをスルーさせて、シンク機器４０と各ソース機器１０，２０間でＣＥＣメッセージによる動作制御を可能としている。
【００２７】
なお、ＨＤＭＩケーブルは、デジタル信号である映像・音声信号を差動方式で伝送するためのＴＭＤＳ(Transition Minimized Differential Signaling)ライン（デジタル信号ライン）５２と、機器間で共通の制御信号（ＣＥＣメッセージ）を伝送する双方向バスであるＣＥＣライン５１とを含んでいる。またこの他、ＨＤＭＩケーブルには、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００２８】
以下図１の構成例による、ソース機器１０，２０、リピータ機器３０、及びシンク機器４０のＨＤＭＩ接続に係る要部構成について説明する。
第１ソース機器１０及び第２ソース機器２０は、ＨＤＭＩ-ＣＥＣに対応するためにそれぞれ同様の構成をもっている。第１ソース機器１０を例として説明すると、第１ソース機器１０は、ＨＤＭＩトランスミッタ１１、ＣＰＵ１２、ＣＥＣ Ｉ／Ｆ１３を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン５２によってリピータ機器３０へ転送する。ＣＰＵ１２は、ＨＤＭＩコントローラを含み、ＨＤＭＩトランスミッタ１１の動作を制御する。
【００２９】
ＣＥＣ Ｉ／Ｆ１３は、ＨＤＭＩケーブル内のＣＥＣライン５１を接続し、リピータ機器３０を介してシンク機器４０との間でＣＥＣメッセージの双方向通信を可能とする。ＣＥＣ Ｉ／Ｆ１３の動作は、ＣＰＵ１２により制御され、ＣＥＣメッセージによってＨＤＭＩ接続された機器を制御することができる。ＣＰＵ１２は、装置全体を制御するホストＣＰＵとフロントマイコンとにより構成することができ、フロントマイコンを低電力で動作させて、ホストＣＰＵがダウンするスタンバイモードにおいても、常にＣＥＣライン５１から転送されてくるＣＥＣメッセージを監視することができる。
【００３０】
上記のように第２ソース機器２０についても第１ソース機器１０と同様の構成をもっている。つまり第２ソース機器２０には、ＨＤＭＩトランスミッタ２１、ＣＰＵ２２、ＣＥＣ Ｉ／Ｆ２３が備えられ、ＨＤＭＩ-ＣＥＣに対応した構成となっている。なお、第１ソース機器１０と第２ソース機器２０においてＨＤＭＩ出力端子の記載は省略する。
【００３１】
リピータ機器３０は、ＣＥＣ非対応機器であり、２つのＨＤＭＩ入力端子に対応して、２つのＨＤＭＩレシーバ３１，３３と、２つのＣＥＣ Ｉ／Ｆ３２，３４とを備えている。さらにリピータ機器３０は、ＨＤＭＩ出力端子に対応したＨＤＭＩトランスミッタ３６、及びＣＥＣ Ｉ／Ｆ３７と、装置を制御するＣＰＵ３５と、赤外線によるリモコン信号を受光するＩｒ受光部３８とを備えている。
【００３２】
リピータ機器３０は、レコーダ１０やプレーヤ２０などのソース機器から転送されたストリームをＨＤＭＩレシーバ３１，３３で受信し、さらにＨＤＭＩトランスミッタ３６から送出して、シンク機器４０に転送する。またストリームを受信するＨＤＭＩ入力端子を選択してスイッチングするスイッチング機能を有している。
【００３３】
ＨＤＭＩトランスミッタ３６は、ソース機器１０，２０から送信されたストリームをＴＭＤＳライン５２によってシンク機器４０へ転送する。ＣＰＵ３５は、ＨＤＭＩコントローラを含み、ＨＤＭＩトランスミッタ３６の動作を制御する。
【００３４】
ＣＥＣ Ｉ／Ｆ３７（及びＣＥＣ Ｉ／Ｆ３２，３４）は、ＨＤＭＩケーブル内のＣＥＣライン５１を接続するが、ＣＥＣ非対応であるため、ＣＰＵ３５によりＣＥＣメッセージを解釈することはできない。ＣＥＣ Ｉ／Ｆ３７（及びＣＥＣ Ｉ／Ｆ３２，３４）は、各ソース機器１０，２０とシンク機器４０との間でＣＥＣメッセージをスルーさせ双方向通信を可能とする。ＣＥＣ Ｉ／Ｆ３７（及びＣＥＣ Ｉ／Ｆ３２，３４）の動作は、ＣＰＵ３５により制御される。
【００３５】
リピータ機器３０のＣＰＵ３５は、装置全体を制御するホストＣＰＵとフロントマイコンとにより構成することができ、フロントマイコンを低電力で動作させて、ＨＤＭＩ入力端子とＨＤＭＩ出力端子に接続される各ＣＥＣライン５１からのＣＥＣメッセージを転送させることができる。またＩｒ受光部３８により、リモコンから送信されたリモコン信号を受信することができる。なお、リピータ機器３０においてＨＤＭＩ入力端子とＨＤＭＩ出力端子の記載は省略する。
【００３６】
シンク機器４０は、主な構成として、ＨＤＭＩ入力端子４１、ＨＤＭＩレシーバ４２、ＣＥＣ Ｉ／Ｆ４３、ＣＰＵ４４、Ｉｒ受光部４５、メモリ４６、及びＯＳＤ制御部４７を備えている。シンク機器４０は、リピータ機器３０から転送されたストリームをＨＤＭＩレシーバ４２で受信する。またＣＥＣ Ｉ／Ｆ４３によって、リピータ機器３０との間のＣＥＣライン５１が接続される。ＣＰＵ４４は、装置全体を制御するホストＣＰＵとフロントマイコンとにより構成することができ、フロントマイコンを低電力で動作させて、ＨＤＭＩ入力端子４１に接続されるＣＥＣライン５１から転送されてくるＣＥＣメッセージを監視することができる。またＩｒ受光部４５により、リモコンから送信されたリモコン信号を受信することができる。
【００３７】
ＣＥＣ Ｉ／Ｆ４３とＨＤＭＩレシーバ４２は、ＨＤＭＩ入力端子４１に応じて備えられている。従ってシンク機器４０が複数のＨＤＭＩ入力端子をもっていれば、それに応じてＣＥＣ Ｉ／Ｆ及びＨＤＭＩレシーバが設けられる。
【００３８】
またシンク機器４０が備えるメモリ４６は、複数の外部機器（第１ソース機器１０，第２ソース機器２０）の種別を示す論理アドレスと、第１ソース機器１０，第２ソース機器２０の接続位置を示す物理アドレスと、論理アドレスに対応する第１ソース機器１０，第２ソース機器２０の機器名とを関連付けて格納するマッピングテーブルを有する。すなわち、ＨＤＭＩ規格に基づいて、シンク機器４０とＨＤＭＩ接続された第１ソース機器１０，第２ソース機器２０の論理アドレスに対応した物理アドレスが記憶される。
【００３９】
ここでは例えばシンク機器４０の電源投入時に、論理アドレスごとに、接続機器の物理アドレスを返送するように要求するＣＥＣメッセージ<Give Physical Address>をシンク機器４０から送出する。そしてその返答<Report Physical Address>を受けることによって、シンク機器４０では、接続位置に応じた接続機器の物理アドレスを取得して、ＨＤＭＩ機器の接続状態をマッピングすることができる。なお、リピータ機器３０は、ＣＥＣ非対応機器であり、シンク機器４０からのＣＥＣメッセージに応答することができないため、リピータ機器３０の物理アドレスは取得されない。
【００４０】
またシンク機器に接続されているシステムに対して、新たにＣＥＣ対応のＨＤＭＩ機器が接続されたときに、そのＨＤＭＩ機器から自身の物理アドレスがＣＥＣメッセージによりシンク機器４０に送信されてくれば、シンク機器４０ではその物理アドレスをマッピングに加えて登録することができる。
【００４１】
図１の例では、シンク機器４０の物理アドレスは［０．０．０．０］、リピータ機器３０の物理アドレスは[１．０．０．０]、レコーダである第１ソース機器１０の物理アドレスは［１．１．０．０］、プレーヤである第２ソース機器２０の物理アドレスは［１．２．０．０］となる。なお、リピータ機器３０の物理アドレスは[１．０．０．０]であるが、ＣＥＣ非対応機器であるため、この物理アドレス[１．０．０．０]はシンク機器４０には通知されず、第１ソース機器１０の物理アドレス［１．１．０．０］、第２ソース機器２０の物理アドレス［１．２．０．０］がシンク機器４０に通知される。このように、シンク機器４０は、ＨＤＭＩ入力端子４１を介してリピータ機器３０，第１ソース機器１０，第２ソース機器２０などの複数のＨＤＭＩ機器を階層的に接続することができる。
【００４２】
またＯＳＤ制御部４７は、シンク機器４０の画面上にＯＳＤメニュー（すなわち、前述の図１０に示した入力切替ＯＳＤ）をオンスクリーン表示する。
【００４３】
ここで、リピータ機器３０がＣＥＣ対応機器である場合、ＣＥＣ Ｉ／Ｆ４３は、第１ソース機器１０，第２ソース機器２０のいずれかのＨＤＭＩ機器から自身が入力経路として指定されたことを示すＣＥＣメッセージ<Routing Information>を受信する。
【００４４】
ＯＳＤ制御部４７は、ＣＥＣ Ｉ／Ｆ４３が<Routing Information>を受信した場合には、入力切替ＯＳＤに表示されるＨＤＭＩ機器の機器名を、<Routing Information>で指定されたＨＤＭＩ機器の機器名に変更する。これにより、たとえ<Active Source>が返ってこない場合でも、この<Routing Information>を利用できる場合にはユーザの入力切替操作に対応して、入力切替ＯＳＤ上のＯＳＤ機器名を正しく表示することができるため、実際に入力切替先となる機器と入力切替ＯＳＤ上のＯＳＤ機器名とが一致し、ユーザを困惑させないようにすることができる。
【００４５】
しかし、本例のようにリピータ機器３０がＣＥＣ非対応機器である場合、リピータ機器３０は、ユーザ操作に応じた経路変化を示すＣＥＣメッセージ〈Routing Change〉をブロードキャストにて送信しないため、それ以降の処理、すなわちＣＥＣメッセージ<Routing Information>を受信する処理も行われないことになり、ＯＳＤメニュー上の機器名表示が変更されない。
【００４６】
以下、このような問題を解決することを目的とした本発明による処理例について説明する。
図１において、シンク機器４０は、複数の外部機器（ここではレコーダ１０，プレーヤ２０とする）の種別を示す論理アドレスと、レコーダ１０，プレーヤ２０の接続位置を示す物理アドレスと、論理アドレスに対応するレコーダ１０，プレーヤ２０の機器名とに加え、レコーダ１０，プレーヤ２０からＨＤＭＩストリームと共に入力される機器固有データとを関連付けて格納するマッピング手段に相当するマッピングテーブル（後述の図３，４を参照）を備える。このマッピングテーブルはメモリ４６に記憶されている。また、シンク機器４０は、シンク機器４０の画面上にＯＳＤメニューをオンスクリーン表示するＯＳＤ制御手段に相当するＯＳＤ制御部４７と、シンク機器４０に入力される機器固有データが他の機器固有データに変化した後に所定のＣＥＣメッセージが一定時間受信されない場合、他の機器固有データがメモリ４６のマッピングテーブルに格納されているか否かを判定する判定手段に相当するＣＰＵ４４とを備える。
【００４７】
ＯＳＤ制御部４７は、ＣＰＵ４４により、他のＳＰＤデータがメモリ４６のマッピングテーブルに格納されていると判定された場合、ＯＳＤメニューに表示されるＨＤＭＩ機器の機器名（例えば、レコーダ１０の機器名）を、他のＳＰＤデータに関連付けられた論理アドレスに対応するＨＤＭＩ機器の機器名（例えば、プレーヤ２０の機器名）に変更する。
【００４８】
なお、上述の機器固有データとは、ＨＤＭＩ規格で定義されたSPD(Source Product Description) Info Frameデータ（以下、単にＳＰＤデータという）であり、レコーダ１０，プレーヤ２０に固有の機器名を含むものである。
【００４９】
ここで、シンク機器４０に入力されるＳＰＤデータが他のＳＰＤデータに変化する、すなわちＨＤＭＩストリームが他のＨＤＭＩストリームに変化するのは、リピータ機器３０でソース機器の入力切替（レコーダ１０からプレーヤ２０への切り替え）が行われた場合や、ソース機器（レコーダ１０）が別のソース機器に交換された場合などが想定される。前者の場合、リピータ機器３０がＣＥＣ対応であればＣＥＣメッセージ<Routing Change>を送信する。後者の場合、交換されたソース機器がＣＥＣ対応であればＣＥＣメッセージ<Report Physical Address>を送信する。これらの<Routing Change>又は<Report Physical Address>が前述の所定のＣＥＣメッセージに相当する。
【００５０】
ＣＰＵ４４は、上記の所定のＣＥＣメッセージ<Routing Change>又は<Report Physical Address>を一定時間受信されないと判定した場合、変化後のＳＰＤデータがメモリ４６のマッピングテーブルに格納されているか否かを判定する。そして、変化後のＳＰＤデータがメモリ４６のマッピングテーブルに格納されていれば、ＯＳＤ制御部４７が、ＯＳＤメニュー上の機器名を、変化後のＳＰＤデータに対応する論理アドレスの機器名に変更する。例えば、レコーダ１０からプレーヤ２０への入力切替であれば、プレーヤ２０の論理アドレスに対応するＯＳＤ機器名に変更する。なお、<Report Physical Address>を受信したときの処理については後述の図５で説明する。
【００５１】
このように、リピータ機器で入力切替を行ったときに、リピータ機器がＣＥＣ非対応機器の場合であっても、マッピングした結果に基づき、ＯＳＤメニュー上の機器名を正しく表示することができる。
【００５２】
図２は、ソース機器から取得されるＳＰＤデータのマッピング処理の一例を説明するためのフロー図である。本例は図１のシステム構成に基づいて説明するものとし、ＳＰＤデータにより取得されるデータを、例えばVendor Name Character名とProduct Description Character名とし、レコーダ１０のVendor Name Character名が「VENDOR_A」で、Product Description Character名が「RECORDER_PD01」であった場合、得られるマッピングテーブルは図３に示すようになる。
【００５３】
図２において、ユーザがリピータ機器３０の入力をレコーダ１０からプレーヤ２０に切り替えて、プレーヤ２０に対して再生処理を実行すると、プレーヤ２０がＨＤＭＩストリームを出力するアクティブソースとなるため、アクティブ状態であることを示すＣＥＣメッセージ<Active Source>をブロードキャスト送信する。シンク機器４０は、プレーヤ２０からの<Active Source>を受信したか否かを判定し（ステップＳ１）、<Active Source>を受信した場合（ＹＥＳの場合）、シンク機器４０に入力されるＨＤＭＩストリームからＳＰＤデータを取得し（ステップＳ２）、図３に示すマッピングテーブルの対応する物理アドレスにＳＰＤデータをマッピングする（ステップＳ３）。また、シンク機器４０は、ステップＳ１において、<Active Source>を受信しない場合（ＮＯの場合）、ステップＳ１で受信待ち状態となる。
【００５４】
例えば、プレーヤ２０のＳＰＤデータのVendor Name Character名が「VENDOR_B」、Product Description Character名が「PLAYER_PD01」だった場合、得られるマッピングテーブルは図４に示すようになる。このように、ＣＥＣメッセージ<Active Source>を受信したときにＨＤＭＩストリーム中のＳＰＤデータをマッピングする。
【００５５】
図４は、本発明に係るマッピング処理により得られたマッピングテーブルの一例を示す図である。図１に示したシステム構成をメモリ４６上にマッピングしたときの状態を示すものである。ここでは第１ソース機器１０、第２ソース機器２０はＣＥＣ対応のレコーダとプレーヤが用いられ、シンク機器４０としては液晶テレビ（ＬＣＤ ＴＶ）が用いられているものとする。
【００５６】
図４において、マッピング処理により得られるマッピングテーブルには、論理アドレス１〜９に関連付けて、機器の物理アドレスとＯＳＤ機器名とＳＰＤデータとが登録される。またＣＥＣ非対応の場合などで物理アドレスが取得できなかった場合には、物理アドレスとして［０．０．０．０］が登録され、またＯＳＤ機器名が取得できなかった場合にはＮＵＬが登録され、ＯＳＤ機器名は（””）となる。この例では、ＯＳＤ機器名は、論理アドレス１の機器が“ＲＥＣＯＤＥＲ”で、論理アドレス４の機器が“ＰＬＡＹＥＲ”である。
【００５７】
ここで、リピータ機器３０を操作してリピータ機器３０に接続されているアクティブ機器を切り替えた場合を想定する。リピータ機器３０がＣＥＣ対応機器であれば、入力切替が行われたときに〈Routing Change〉を送信するため、後述の図８で説明する処理が行われＯＳＤ表示が切り替わる。しかし、前述したように、リピータ機器３０がＣＥＣ非対応機器の場合には、入力切替が行われたときに〈Routing Change〉を送信しないため、図８に示す処理は行われず、ＯＳＤ表示を切り替えることはできない。
【００５８】
上記に対して、本発明では変化したＳＰＤデータにより図４に示すマッピングテーブルを検索し、一致したＳＰＤデータの論理アドレスに対応するＯＳＤ機器名に機器名表示を変更させる処理を行う。例えば、ＳＰＤデータのVendor Name Character名が「VENDOR_A」であり、Product Description Character名が「RECORDER_PD01」であったものが、Vendor Name Character名が「VENDOR_B」に、Product Description Character名が「PLAYER_PD01」に変化したとする。この場合、シンク機器４０は図４に示すマッピングテーブルから、Vendor Name Character名が「VENDOR_B」、Product Description Character名が「PLAYER_PD01」と一致する論理アドレスを検索する。ここでは論理アドレス“４”が該当するため、この論理アドレス“４”に関連付けられているＯＳＤ機器名として“ＰＬＡＹＥＲ”を表示する。
【００５９】
すなわち、ＳＰＤデータが変化した時に一定期間〈Routing Change〉が送信されなければ、変化したＳＰＤデータに基づいてマッピングテーブルを検索し、一致したＳＰＤデータに該当する論理アドレスに対応する外部機器の機器名に機器名表示を変更させる処理を行う。このように、ＨＤＭＩ対応機器であれば必ず出力されるＳＰＤデータに基づきマッピング処理を行うことにより、リピータがＣＥＣ非対応機器であった場合でも正確な機器名表示を行うことができる。
【００６０】
図５は、本発明の表示装置によるＯＳＤ表示処理の一例を説明するためのフロー図である。前述の図１において、リピータ機器３０によりレコーダ１０からプレーヤ２０へ入力切替が行われた場合、ＨＤＭＩレシーバ４２に入力されるＨＤＭＩストリーム５２がプレーヤ２０のものに変化する。このためＣＰＵ４４はＨＤＭＩストリーム５２の中に含まれるＳＰＤデータに変化が生じたか否かを判定する（ステップＳ１１）。
【００６１】
ＣＰＵ４４は、ステップＳ１１において、ＳＰＤデータが変化したと判定した場合（ＹＥＳの場合）、〈Routing Change〉又は〈Report Physical Address〉を受信したか否かを判定する（ステップＳ１２）。また、ステップＳ１１において、ＳＰＤデータが変化しないと判定した場合（ＮＯの場合）、ステップＳ１１でＳＰＤデータの変化を監視する。
【００６２】
ここで、ステップＳ１１においてＳＰＤデータに変化が生じるのは、リピータ機器３０が入力切替を行ったとき以外に、レコーダ１０を別のソース機器に交換した場合が考えられるため、ステップＳ１２において〈Report Physical Address〉をチェックしている。もし別のソース機器に交換した場合、別のソース機器は接続時に〈Report Physical Address〉を送信するため、〈Report Physical Address〉の受信チェックをすることで別のソース機器に交換したか否かを判定することができる。この場合、シンク機器４０は別のソース機器から〈Report Physical Address〉を受信した後に、ＯＳＤ機器名を取得するためのＣＥＣメッセージ〈Give Osd Name〉を別のソース機器に送信することで、別のソース機器からＯＳＤ機器名を取得することができるため、ＯＳＤ表示を変更することが可能となる。なお〈Routing Change〉の受信チェックをするのは、リピータ機器３０がＣＥＣ対応機器か否かを判定するためである。
【００６３】
次に、ＣＰＵ４４は、ステップＳ１２において、〈Routing Change〉又は〈Report Physical Address〉を受信した場合（ＹＥＳの場合）、これらのＣＥＣメッセージに基づいてＯＳＤメニュー上のＯＳＤ機器名を変更する（ステップＳ１３）。一方、ステップＳ１２において、〈Routing Change〉又は〈Report Physical Address〉を受信しない場合（ＮＯの場合）、ＣＰＵ４４は、〈Routing Change〉又は〈Report Physical Address〉を受信せずに所定時間経過したか否かを判定する（ステップＳ１４）。この一定時間は例えば１分間とする。
【００６４】
次に、ＣＰＵ４４は、ステップＳ１４において、〈Routing Change〉又は〈Report Physical Address〉を受信せずに所定時間経過したと判定した場合（ＹＥＳの場合）、変化後のＳＰＤデータが図４に示したマッピングテーブルのＳＰＤデータと一致するか否かを判定する（ステップＳ１５）。一方、ステップＳ１４において、〈Routing Change〉又は〈Report Physical Address〉を受信せずに所定時間経過していないと判定した場合（ＮＯの場合）、ステップＳ１２に戻り処理を繰り返す。
【００６５】
そして、ステップＳ１５において、変化後のＳＰＤデータと図４に示したマッピングテーブルのＳＰＤデータとが一致した場合（ＹＥＳの場合）、ＯＳＤメニュー上のＯＳＤ機器名を、一致したＳＰＤデータの論理アドレスに対応するＯＳＤ機器名に変更する（ステップＳ１６）。例えば、ＬＣＤ ＴＶ４０は、プレーヤ２０のＳＰＤデータに基づいて、図４に示したマッピングテーブルを参照して、このＳＰＤデータ（「VENDOR_B」，「PLAYER_PD01」）に対応する論理アドレス“４”を抽出する。そして図６に示すように、メモリ４６内の論理アドレス格納領域におけるＥＸＴ５のアクティブ機器の論理アドレスを“１”から“４”に書き換える。図４のマッピングテーブルによれば、論理アドレス“４”に関連付けられているＯＳＤ機器名は、“ＰＬＡＹＥＲ”である。
【００６６】
図７は、シンク機器において入力切替ＯＳＤを表示させたきの様子の一例を示す図で、上記の処理によって経路切替を行った後の入力切替ＯＳＤ表示を示すものである。上記のように、ＬＣＤ ＴＶ４０では、ＨＤＭＩストリーム中のＳＰＤデータを用いて論理アドレス格納領域の登録情報を書き換える処理を行うことにより、ユーザが入力切替操作を行ったときに、図７に示すような入力切替ＯＳＤを表示させることができる。ここでは、プレーヤ２０のＳＰＤデータに従ってアクティブ機器の論理アドレス情報が書き換えられているため、これに対応するＥＸＴ５には、書き換えられた論理アドレス“４”に対応して格納されているＯＳＤ機器名“ＰＬＡＹＥＲ”が表示される。これは現在のアクティブ機器に合致した適正な表示であり、リピータ機器３０がＣＥＣ非対応機器であっても、適正なＯＳＤ機器名を表示させることができるようになる。
【００６７】
また、ステップＳ１５において、変化後のＳＰＤデータと図４に示したマッピングテーブルのＳＰＤデータとが一致しない場合（ＮＯの場合）、ＯＳＤメニュー上のＯＳＤ機器名を消去する（ステップＳ１７）。なお、本例でいうＳＰＤデータの一致とは、Vendor Name Character名とProduct Description Character名の双方が一致することを示すものとする。
【００６８】
ここで、ステップＳ１２において、ソース機器を別のソース機器に交換した場合、別のソース機器がＣＥＣ対応機器であれば接続時に〈Report Physical Address〉を送信するため、〈Report Physical Address〉の受信チェックをすることで別のソース機器に交換したか否かを判定するようにしている。しかし、別のソース機器がＣＥＣ非対応機器の場合は、〈Report Physical Address〉を送信しないため、ステップＳ１２ではＮＯに進むことになる。この場合、ステップＳ１５において変化後のＳＰＤデータはマッピングテーブル中のＳＰＤデータと一致しないため、ＳＰＤデータによりＯＳＤ機器名を変更することができない。そこで、間違ったＯＳＤ機器名が表示されることを防止するために、ステップＳ１７においてＯＳＤ機器名を消去するようにしている。
【００６９】
また、ステップＳ１５において変化後のＳＰＤデータがマッピングテーブル中のＳＰＤデータと一致しない場合に、その旨をユーザに通知するために、ステップＳ１７において警告表示を行うようにしてもよい。例えば、ユーザに対して、変化後のＳＰＤデータがマッピングテーブルに登録されていない旨を警告するためのメッセージや、変化後のＳＰＤデータに対応する機器名をマッピングテーブルに登録するように促すメッセージなどを表示させる。これらの警告表示はＯＳＤ制御部４７により表示制御される。
【００７０】
なお、ステップＳ１７においてＯＳＤ機器名を消去する場合、ＯＳＤ機器名をＥＸＴ５，ＥＸＴ６のように初期状態の表示に書き換えるようにしてもよい。このようにすれば、間違ったＯＳＤ機器名は表示されず、実際に入力切替先となる機器とＯＳＤメニュー上のＯＳＤ機器名とが不一致となることはない。
【００７１】
以下、ステップＳ１３において、入力切替操作による〈Routing Change〉，ソース機器の交換による〈Report Physical Address〉を受信した場合の処理例について説明する。
【００７２】
まず、入力切替操作による〈Routing Change〉の場合について説明する。
図８は、リピータ機器を操作してリピータ機器に接続されているアクティブ機器を切り替えるときのＣＥＣによる通信処理の一例を示す図である。この例は、図１に示したシステム構成において、アクティブ機器としてレコーダ１０が選択されている状態で、ユーザがリピータ機器３０を操作してそのストリームの入力経路をレコーダ１０からプレーヤ２０に変更したときの処理の様子を示している。
【００７３】
図８において、リピータ機器３０は、ユーザ操作に応じた経路変化を示すＣＥＣメッセージ〈Routing Change〉をブロードキャストにて送信する（Ｓ２１）。この場合には、レコーダ１０の物理アドレス［１．１．０．０］からプレーヤ２０の物理アドレス［１．２．０．０］に経路変化があったことを送信する。そしてこれを受けたプレーヤ２０は、自身が経路として指定されたことを示すＣＥＣメッセージ〈Routing Information〉をブロードキャストにて送信する（Ｓ２２）。
これに対してＬＣＤ ＴＶ（シンク機器）４０は、ストリームの入力経路を切り替えるＣＥＣメッセージ〈Set Stream Path〉をブロードキャストにて送信する（Ｓ２３）。この場合、〈Set Stream Path〉は、ＥＸＴ５のアクティブ機器を、物理アドレス［１．１．０．０］のレコーダ１０から物理アドレス［１．２．０．０］のプレーヤ２０に切り替えるメッセージとして送信される。
【００７４】
次いでＬＣＤ ＴＶ４０は、プレーヤ２０のＯＳＤ機器名を問い合わせるＣＥＣメッセージ〈Give Osd Name〉をプレーヤ２０に対して送信する（Ｓ２４）。これを受けたプレーヤ２０は、自身に登録されているＯＳＤ機器名を〈Set Osd Name〉によりＬＣＤ ＴＶ４０に対して返信する（Ｓ２５）。なお、〈Give Osd Name〉は、プレーヤ２０の物理アドレスを指定したメッセージ送信である。ここでは図４のマッピング処理により、プレーヤ２０のＯＳＤ機器名が取得できている場合にも、〈Set Stream Path〉による経路切替の後に再度ＯＳＤ機器名の取得処理を行う。そしてこれを受けたプレーヤ２０は、ＣＥＣメッセージ〈Set Osd Name〉により、自身に登録されているＯＳＤ機器名をＬＣＤ ＴＶ４０に対して返信する。〈Set Osd Name〉は、ＬＣＤ ＴＶ４０の物理アドレスを指定したメッセージ送信である
【００７５】
そしてこの後、プレーヤ２０は、自身がアクティブ機器であることを知らせるためのＣＥＣメッセージ〈Active Source〉をブロードキャストにて送信するが、プレーヤ２０がスタンバイ状態にある場合など、必ずしもこの〈Active Source〉がＬＣＤ ＴＶ４０に送信されてくるとは限らない。
【００７６】
本実施形態では、ＬＣＤ ＴＶ４０において、アクティブ機器からの〈Active Source〉を受信しなくても、接続機器の経路変化を知らせるためのＣＥＣメッセージ〈Routing Information〉を受信することにより、ＯＳＤ機器名表示を変更させる処理を行う。
つまり図８のＳ２２において、プレーヤ２０を経路として指定する〈Routing Change〉に対してプレーヤ２０が〈Routing information〉を送信したときに、これを受けたＬＣＤ ＴＶ４０では、メモリ４６の論理アドレス格納領域の登録情報を書き換える処理を行う。
【００７７】
ここではプレーヤ２０は、〈Routing information〉により自身の物理アドレスを送信している。これを受けたＬＣＤ ＴＶ４０は、その〈Routing information〉により送信された物理アドレスを関連付けて格納している論理アドレスを抽出し、抽出した論理アドレスによって論理アドレス格納領域を書き換える。この書き換え処理はＬＣＤ ＴＶ４０が備えるＣＰＵ４４によって実行される。
【００７８】
この例では、プレーヤ２０が送信する〈Routing information〉によって、プレーヤ２０の物理アドレス［１．２．０．０］が送信される。ＬＣＤ ＴＶ４０は、図４に示したマッピングテーブルを参照して、この物理アドレスが格納されている論理アドレス“４”を抽出する。そして前述の図６に示したように、論理アドレス格納領域におけるＥＸＴ５のアクティブ機器の論理アドレスを“１”から“４”に書き換える。図４のマッピングテーブルによれば、論理アドレス“４”に関連付けられているＯＳＤ機器名情報は、“ＰＬＡＹＥＲ”である。
【００７９】
上記のように、ＬＣＤ ＴＶ４０では、〈Routing information〉の物理アドレスを用いて論理アドレス格納領域の登録情報を書き換える処理を行うことにより、ユーザが入力切替操作を行ったときに、前述の図７に示したような入力切替ＯＳＤを表示させることができる。ここでは、プレーヤ２０から送信された〈Routing Information〉に従ってアクティブ機器の論理アドレス情報が書き換えられているため、これに対応するＥＸＴ５には、書き換えられた論理アドレス“４”に対応して格納されているＯＳＤ機器名“ＰＬＡＹＥＲ”が表示される。これは現在のアクティブ機器に合致した適正な表示であり、アクティブ機器から〈Active Source〉が送信されるか否かに関わらず、適正なＯＳＤ機器名を表示させることができるようになる。
【００８０】
次に、ソース機器の交換による〈Report Physical Address〉の場合について説明する。
ＬＣＤ ＴＶ４０に入力されるＳＰＤデータが他のＳＰＤデータに変化した後に、〈Report Physical Address〉を一定時間内に受信した場合、〈Report Physical Address〉で通知される論理アドレスと物理アドレスに対応する別のソース機器に対して、その機器名を取得するためのＣＥＣメッセージ〈Give Osd Name〉を送信し、ＯＳＤ制御部４７は、ＯＳＤメニューに表示されるソース機器の機器名を、〈Give Osd Name〉に対する返信メッセージ<Set Osd Name>により取得された別のソース機器の機器名に変更する。この場合も適正なＯＳＤ機器名を表示させることができるようになる。
【００８１】
図９は、SPD Info Frameデータの内容の一例を示す図である。このＳＰＤデータはＨＤＭＩ接続した各ソース機器からＨＤＭＩストリームと共に送信される。本発明では、シンク機器がこの中のVendor Name Character名とProduct Description Character名を読み込み、図４に示したマッピングテーブルに登録する。マッピングテーブルへの登録は、〈Active Source〉を受信したときに、それを送信した機器の論理アドレスをマッピングテーブルから検索し、その論理アドレスに対応するＨＤＭＩ機器のVendor Name Character名/Product Description Character名欄に、当該機器のVendor Name Character名/Product Description Character名を格納する。
【図面の簡単な説明】
【００８２】
【図１】本発明の表示システムにおけるＨＤＭＩ接続に係る要部構成例を説明するためのブロック図である。
【図２】ソース機器から取得されるＳＰＤデータのマッピング処理の一例を説明するためのフロー図である。
【図３】本発明に係るマッピング処理により得られたマッピングテーブルの一例を示す図である。
【図４】本発明に係るマッピング処理により得られたマッピングテーブルの一例を示す図である。
【図５】本発明の表示装置によるＯＳＤ表示処理の一例を説明するためのフロー図である。
【図６】論理アドレス格納領域（ＥＸＴ５）におけるアクティブ機器の論理アドレスの変更例を示す図である。
【図７】シンク機器において入力切替ＯＳＤを表示させたきの様子の一例を示す図である。
【図８】リピータ機器を操作してリピータ機器に接続されているアクティブ機器を切り替えるときのＣＥＣによる通信処理の一例を示す図である。
【図９】SPD Info Frameデータの内容の一例を示す図である。
【図１０】従来のシンク機器において入力切替ＯＳＤを表示させたときの様子を示す図である。
【符号の説明】
【００８３】
１０…第１ソース機器（レコーダ）、１１，２１，３６…ＨＤＭＩトランスミッタ、１２，２２，３５，４４…ＣＰＵ、１３，２３，３２，３４，３７，４３…ＣＥＣ Ｉ／Ｆ、２０…第２ソース機器（プレーヤ）、３０…リピータ機器、３１，３３，４２…ＨＤＭＩレシーバ、３８，４５…Ｉｒ受光部、４０…シンク機器（ＬＣＤ ＴＶ）、４１…ＨＤＭＩ入力端子、４６…メモリ、４７…ＯＳＤ制御部、５１…ＣＥＣライン、５２…ＴＭＤＳライン。
【図１】
2010041202.tif 000003
【図２】
2010041202.tif 000004
【図３】
2010041202.tif 000005
【図４】
2010041202.tif 000006
【図５】
2010041202.tif 000007
【図６】
2010041202.tif 000008
【図７】
2010041202.tif 000009
【図８】
2010041202.tif 000010
【図９】
2010041202.tif 000011
【図１０】
2010041202.tif 000012